(57)【特許請求の範囲】
【請求項１】
ワンタッチ開閉操作式の車両用カップホルダであって、
収容部（１１１）の一側部を貫通して形成された照射孔（１１１ａ）を有する略円筒形の本体部（１１０）と、
前記収容部（１１１）を開閉すべく、前記本体部（１１０）の上部に開閉可能に取り付けられた方形のカバー（１２０）と、
前記照射孔（１１１ａ）を通して光を照射するように、結合メンバ（１４０）によって前記本体部（１１０）に取り付けられたランプユニット（１３０）とを含み、
前記ランプユニット（１３０）は、
前記本体部（１１０）に、前記結合メンバ（１４０）によってその一端部で固定されたハウジング（１３１）と、
前記ハウジングの一側部に嵌入されたＬＥＤランプモジュール（１３２）と、
前記ＬＥＤランプモジュール（１３２）の基板（１３２ａ）に取り付けられたＬＥＤ（１３２ｂ）の点灯によって放射された光が、前記収容部（１１１）に形成された照射孔（１１１ａ）を通して照射されるようにして、前記ハウジングの前面に結合されたレンズ（１３３）と、
前記ハウジング（１３１）と前記レンズ（１３３）との間に設けられることにより、前記ＬＥＤ（１３２ｂ）によって発せられた光を、前記レンズ（１３３）を通して拡散、及び照射するガイドレンズ（１３４）とを含み、
前記レンズ（１３３）及び前記ガイドレンズ（１３４）は、前記ＬＥＤ（１３２ｂ）から前記照射孔（１１１ａ）に面する位置まで前記本体部（１１０）の周方向に沿って湾曲して延在し、
前記レンズ（１３３）は、その前面から突出するように形成され、かつ前記照射孔（１１１ａ）に設けられる照射突起（１３３ａ）を有し、前記照射突起（１３３ａ）を介して光を前記収容部（１１１）内へ照射させ、
前記ＬＥＤランプモジュール（１３２）は、前記カバー（１２０）の方形の角に整合する位置に配置されることを特徴とするワンタッチ開閉操作式の車両用カップホルダ。
【請求項２】
請求項１に記載のワンタッチ開閉操作式の車両用カップホルダであって、
前記レンズ（１３３）は、その上部及び下部から突出してそれぞれ形成され、前記レンズ（１３３）を前記ハウジング（１３１）の内面に結合させた状態で維持するフック（１３３ｂ）を有し、
前記ガイドレンズ（１３４）は、前記レンズ（１３３）が前記ハウジング（１３１）に結合されることにより前記レンズ（１３３）と前記ハウジング（１３１）との間に挟持されることを特徴とするワンタッチ開閉操作式の車両用カップホルダ。
【発明の詳細な説明】
【技術分野】
【０００１】
本発明は、ワンタッチ開閉操作式の車両用カップホルダに関し、より具体的には、ワンタッチ開閉操作式のカップホルダの本体部に設けられた収容部を肉眼で確認でき、夜間の暗所でも飲料容器を都合良く収容する、ワンタッチ開閉操作式の車両用カップホルダに関する。
【背景技術】
【０００２】
一般に、車両には、カップ、飲料ボトルまたは缶などを収容するためのカップホルダが設けられ、このカップホルダは車両の種類によって異なる位置に設けられて、ユーザに利便性を提供する。
【０００３】
カップホルダは、単に上方に開口してカップまたはボトルなどを収容するための収容部を備えて基本的に形成され、かつ収容部が使用されていないときに収容部を閉じるためのカバーを有することにより、車両の内装レベルの向上に役立つ。
【０００４】
カバーは、ユーザによって直接開閉可能であり、ワンタッチ方式で自動的に開閉されるカップホルダが開発され、ユーザの利便性を更に向上させるために使用される。
【０００５】
図１は、従来技術のワンタッチ開閉操作式のカップホルダを閉じた状態を示す斜視図であり、図２は、従来技術のワンタッチ開閉操作式のカップホルダを開いた状態を示す斜視図である。
【０００６】
図１及び図２を参照すると、従来技術のワンタッチ開閉操作式のカップホルダ１は、その内部に収容部２を有する本体部３と、本体部３の上部に設けられることにより収容部２を開閉するカバー４とを含む。
【０００７】
この従来技術のワンタッチ開閉操作式のカップホルダによると、車室内の乗り手が飲料などを収容したい場合、カバー４を開いた状態で、本体部３内に形成された収容部２に飲料容器を収容する。
【０００８】
一方、カップホルダ１が使用されていない場合には、収容部２を備えて形成された本体部３はカバー４によって閉じられ、収容部２を備えて形成された本体部３は車室外から視認されず、それによって車室の美観低下を防止する。
【０００９】
しかし、この従来技術のワンタッチ開閉操作式のカップホルダには、夜間などの暗所において、カバー４を開いた状態で、本体部３に形成された収容部２を肉眼で確認することが困難であるため、ユーザは不都合にも本人の感覚のみに基づいて飲料容器を収容しなければならないという問題が存在する。
【先行技術文献】
【特許文献】
【００１０】
【特許文献１】韓国公開特許第１０−２０１２−０１３０７６４号公報
【発明の概要】
【課題を解決するための手段】
【００１１】
本発明は、従来技術の上記の問題点を解決すべく実施され、本発明の目的は、ワンタッチ開閉操作式の車両用カップホルダを提供することであり、ＬＥＤで発生した光を本体部に設けられた収容部にレンズを介して照射することにより、車両の乗り手がカップホルダの収容部を肉眼で確認可能となり、その結果、夜間などの暗所においても、収容部に飲料容器を都合良く収容することができる。
【００１２】
上記の目的を達成するために、本発明の一態様によるワンタッチ開閉操作式の車両用カップホルダは、収容部の一側部を貫通して形成された照射孔を有する本体部と、収容部を開閉すべく、本体部の上部に開閉可能に取り付けられたカバーと、照射孔を通して光を照射するように、結合メンバによって本体部に取り付けられたランプユニットとを含み、ランプユニットは、本体部に結合メンバによってその一側端部で固定されたハウジングと、ハウジングの一側部に嵌入されたＬＥＤランプモジュールと、ＬＥＤランプモジュールの基板に取り付けられたＬＥＤの点灯によって放射された光が、収容部に形成された照射孔を通して照射されるようにして、ハウジングの前面に結合されたレンズと、ハウジングとレンズとの間に設けられることにより、ＬＥＤによって発せられた光を、レンズを通して拡散、及び照射するように本体部の外周に沿って延在するガイドレンズとを含み、ガイドレンズは、その延在方向の一端側がＬＥＤに近接し、他端側の近傍が照射孔に面するように配置される。
【００１３】
また、レンズは、その前面から突出するように形成され、かつ収容部に形成された照射孔の内径と等しい外径を有する照射突起を有し、レンズは更に、その上部及び下部から突出するようにそれぞれ形成されたフックを有し、それによりハウジングの内面に対して結合された状態で維持される。したがって、ハウジングに対するレンズの結合及び固定を単純化し、同時に、照射孔に設けられた照射突起によってレンズを通して放射された光を効果的に照射することが可能である。
【００１４】
本発明によれば、夜間のような暗所において、車両の乗り手がカバーの開いた状態の収容部に飲料容器を収容したい場合、ランプユニットに設けられたＬＥＤが点灯し、ＬＥＤから発せられた光がガイドレンズに沿って広く拡散され、照射突起を介して照射される。更に、照射突起を介して照射された光は、本体部に形成された収容部に向けられ、車両の乗り手は、夜間のような暗所において、カップホルダの収容部を肉眼で確認しながら、収容部に飲料容器を都合良く収容することができる。
【図面の簡単な説明】
【００１５】
【図１】従来技術のワンタッチ開閉操作式のカップホルダの閉じた状態を示す斜視図である。
【図２】従来技術のワンタッチ開閉操作式のカップホルダの開いた状態を示す斜視図である。
【図３】本発明によるワンタッチ開閉操作式のカップホルダの構成要素を示す分解斜視図である。
【図４】本発明によるワンタッチ開閉操作式のカップホルダの本体部に結合されるランプユニットを示す斜視図である。
【図５】本発明によるワンタッチ開閉操作式のカップホルダの本体部に対するランプユニットの結合状態を示す分解斜視図である。
【図６】本発明によるワンタッチ開閉操作式のカップホルダの本体部に結合されたランプユニットのレンズを示す斜視図である。
【図７】本発明によるワンタッチ開閉操作式のカップホルダの本体部にランプユニットが結合された状態を示す断面図である。
【発明を実施するための形態】
【００１６】
以下、添付の図面を参照し、本発明の技術的特徴を詳細に説明する。
【００１７】
図１は、従来技術のワンタッチ開閉操作式のカップホルダの閉じた状態を示す斜視図であり、図２は、従来技術のワンタッチ開閉操作式のカップホルダの開いた状態を示す斜視図であり、図３は、本発明によるワンタッチ開閉操作式のカップホルダの構成要素を示す分解斜視図であり、図４は、本発明によるワンタッチ開閉操作式のカップホルダの本体部に結合されるランプユニットを示す斜視図であり、図５は、本発明によるワンタッチ開閉操作式のカップホルダの本体部に対するランプユニットの結合状態を示す分解斜視図であり、図６は、本発明によるワンタッチ開閉操作式のカップホルダの本体部に結合されたランプユニットのレンズを示す斜視図であり、図７は、本発明によるワンタッチ開閉操作式のカップホルダの本体部にランプユニットが結合された状態を示す断面図である。
【００１８】
図３及び図４、並びに図５及び図６を参照すると、本発明によるワンタッチ開閉操作式の車両用のカップホルダ１００は、収容部１１１の一側部を貫通して形成された照射孔１１１ａを有する本体部１１０と、収容部１１１を開閉すべく、本体部１１０の上部で開閉可能に取り付けられたカバー１２０と、照射孔１１１ａを通して光を照射するように、結合メンバ１４０によって本体部１１０に取り付けられたランプユニット１３０とを含む。
【００１９】
また、ランプユニット１３０は、本体部１１０に、結合メンバ１４０によってその一側端部で固定されたハウジング１３１と、ハウジング１３１の一側部に嵌入されたＬＥＤランプモジュール１３２と、ＬＥＤランプモジュールの基板１３２ａに取り付けられたＬＥＤ１３２ｂの点灯によって放射された光が、収容部１１１に形成された照射孔１１１ａを通して照射されるようにして、ハウジング１３１の前面に結合されたレンズ１３３と、ハウジング１３１とレンズ１３３との間に設けられることにより、ＬＥＤ１３２ｂによって発せられた光をレンズ１３３を通して拡散、及び照射するように前記本体部１１０の外周に沿って延在するガイドレンズ１３４とを含み、ガイドレンズは、その延在方向の一端側がＬＥＤ１３２ｂに近接し、他端側の近傍が照射孔１１１ａに面するように配置される。
【００２０】
更に、図７を参照すると、レンズ１３３は、その前面から突出するように形成され、かつ収容部１１１に形成された照射孔１１１ａの内径と等しい外径を有する照射突起１３３ａを有し、レンズ１３３は更に、その上部及び下部から突出してそれぞれ形成されたフック１３３ｂを有し、それによりハウジング１３１の内面に対して結合された状態で維持される。
【００２１】
上記のように構成されたワンタッチ開閉操作式の車両用カップホルダによると、ＬＥＤランプモジュール１３２の基板１３２ａをハウジング１３１の一側端部に嵌入することによって、ＬＥＤ１３２ｂをハウジング１３１に対して結合固定した状態で維持することができる。
【００２２】
ハウジング１３１の一側部にＬＥＤランプモジュール１３２を設けた後、ハウジング１３１の前面にガイドレンズ１３４を配置した状態でレンズ１３３を挿入することにより、ランプユニット１３０の組み立ては終了する。
【００２３】
ここで、レンズ１３３の上部及び下部に形成されたフック１３３ｂは、ハウジング１３１の上部及び下部にそれぞれ保持されて、結合した状態で維持されると同時に、レンズ１３３とハウジング１３１との間に配置されたガイドレンズ１３４が、ハウジング１３１から分離されることを防ぐ。
【００２４】
ランプユニット１３０を上記のように組み立てた後、ボルトなどの結合メンバ１４０を使用することにより、ランプユニット１３０は、収容部１１１を備えて設けられた本体部１１０と結合される。
【００２５】
ここで、ランプユニット１３０は、本体部１１０に結合され、レンズ１３３上に形成された照射突起１３３ａは、収容部１１１内に形成された照射孔１１１ａに嵌入される。
【００２６】
したがって、夜間のような暗所において、車両の乗り手がカバー１２０の開いた状態の収容部に飲料容器を収容したい場合、ランプユニット１３０に設けられたＬＥＤ１３２ｂが点灯することにより光が発せられ、ＬＥＤ１３２ｂによって発せられた光は、レンズ１３３に形成された照射突起１３３ａを介して光を照射するガイドレンズ１３４を通して広範囲に拡散される。
【００２７】
ここで、照射突起１３３ａが、収容部１１１の照射孔１１１ａに挿入された状態で維持されることにより、照射突起１３３ａを介して照射された光は本体部１１０に形成された収容部１１１に向けられて、車両の乗り手は、肉眼でカップホルダ１００の収容部１１１を確認しながら収容部に飲料容器を収容することができる。
【符号の説明】
【００２８】
１００    カップホルダ
１１０    本体部
１１１    収容部
１１１ａ  照射孔
１２０    カバー
１３０    ランプユニット
１３１    ハウジング
１３２    ＬＥＤランプモジュール
１３２ａ  基板
１３２ｂ  ＬＥＤ
１３３    レンズ
１３３ａ  照射突起
１３３ｂ  フック
１３４    ガイドレンズ
１４０    結合メンバ
【図１】
0006675001.tif 000002
【図２】
0006675001.tif 000003
【図３】
0006675001.tif 000004
【図４】
0006675001.tif 000005
【図５】
0006675001.tif 000006
【図６】
0006675001.tif 000007
【図７】
0006675001.tif 000008